(57)【要約】【課題】折畳み式携帯電話を開き、横長かつやや上向きになるように設置した場合でも表示部をユーザの視線に対して垂直として画面を見やすくする。【解決手段】直方体状の第２の筐体５の背面側が載置される直方体状の本体部と、第２の筐体５の長手方向中間よりも充電端子側における少なくとも幅方向両側面を包み込むように、本体部から膨出して形成され、充電端子に通電可能な接続端子が内蔵された膨出部１２と、本体部における膨出部１２が形成されていない幅方向少なくとも一方の側面に伸縮自在に内蔵された補助脚部２４と、背面側に着脱自在に設けられ、先端側に向かって幅狭となるスタンド板とを設ける。スタンド板の補助脚部２４側の側面に被載置面５０に当接し、スタンド板側を持ち上げて横置き状態の表示部２の角度を調整する表示角度調整部材３０を設ける。【選択図】図５
2010050562.tif 000002
【特許請求の範囲】
【請求項１】
表示部を内蔵する第１の筐体と、充電端子を有する第２の筐体と、該第１の筐体と第２の筐体とを折り畳み開閉自在に連結するヒンジ部を備えた携帯端末を装着した状態で、上記充電端子に通電可能な携帯端末用卓上ホルダーであって、
直方体状の上記第２の筐体の背面側が載置される直方体状の本体部と、
上記第２の筐体の長手方向中間よりも上記充電端子側における少なくとも幅方向両側面を包み込むように、上記本体部から膨出して形成され、該充電端子に通電可能な接続端子が内蔵された膨出部と、
上記本体部における上記膨出部が形成されていない幅方向少なくとも一方の側面に伸縮自在に内蔵された補助脚部と、
背面側に着脱自在に設けられ、先端側に向かって幅狭となるスタンド板とを備え、
伸張させた状態の補助脚部の先端と、上記膨出部の該補助脚部側の側面とが被載置面に当接する横置き状態で上記携帯端末を保持可能に構成され、
上記スタンド板の上記補助脚部側の側面には、上記被載置面に当接し、該スタンド板側を持ち上げて上記横置き状態の表示部の角度を調整する表示角度調整部材が設けられている
ことを特徴とする携帯端末の卓上ホルダー。
【請求項２】
請求項１に記載の携帯端末の卓上ホルダーにおいて、
上記スタンド板が取り外されて上記本体部の背面が被載置面に当接する平置き状態と、
上記膨出部及び上記スタンド板とが被載置面に当接する縦置き状態と、
上記横置き状態との３通りの載置姿勢を選択可能に構成されている
ことを特徴とする携帯端末の卓上ホルダー。
【請求項３】
請求項２に記載の携帯端末の卓上ホルダーにおいて、
上記表示角度調整部材は、上記スタンド板に対して脱着可能に構成されている
ことを特徴とする携帯端末の卓上ホルダー。
【請求項４】
表示部を内蔵する第１の筐体と、充電端子を有する第２の筐体と、該第１の筐体と第２の筐体とを折り畳み開閉自在に連結するヒンジ部を備えた携帯端末を装着した状態で、上記充電端子に通電可能な携帯端末用卓上ホルダーであって、
直方体状の上記第２の筐体の背面側が載置される直方体状の本体部と、
上記第２の筐体の長手方向中間よりも上記充電端子側における少なくとも幅方向両側面を包み込むように、上記本体部から膨出して形成され、該充電端子に通電可能な接続端子が内蔵された膨出部と、
上記本体部における上記膨出部が形成されていない幅方向少なくとも一方の側面に伸縮自在に内蔵された補助脚部とを備え、
伸張させた状態の補助脚部の先端と、上記膨出部の該補助脚部側の側面とが被載置面に当接する横置き状態で上記携帯端末を保持可能に構成され、
上記膨出部の上記補助脚部側の側面には、上記被載置面に当接し、該膨出部側を持ち上げて上記横置き状態の表示部の角度を調整する表示角度調整部材が設けられている
ことを特徴とする携帯端末の卓上ホルダー。
【請求項５】
請求項４に記載の携帯端末の卓上ホルダーにおいて、
上記表示角度調整部材は、上記膨出部に伸縮自在に内蔵された第２の補助脚部である
ことを特徴とする携帯端末の卓上ホルダー。
【請求項６】
請求項１乃至５のいずれか１つに記載の携帯端末の卓上ホルダーにおいて、
上記携帯端末は、携帯電話機であり、
上記横置き状態でＴＶ視聴可能に構成されている
ことを特徴とする携帯端末の卓上ホルダー。
【発明の詳細な説明】
【技術分野】
【０００１】
本発明は、折畳み式の携帯端末を装着した状態で該携帯端末に通電可能な携帯端末の卓上ホルダーに関するものである。
【背景技術】
【０００２】
携帯電話機に代表される携帯端末は、機能の充実に伴って表示部と操作部とが１つの筐体に収まったストレートタイプから、表示部と操作部とが別々の筐体に設けられ、それらがヒンジ部によって折り畳み自在に連結された折畳み式タイプへと発展してきている。折畳み式タイプにおいても、表示部を有する筐体を表裏反転させたり、表示部を有する筐体を縦長から横長に回転させたりするもの等が出現している。また、表示部を有する筐体をボタンを有する筐体の上をスライドさせるスライド式タイプも出現している。
【０００３】
また、機能面においても電話機能のみならず、メール送受信、カメラ撮影、インターネット接続、ＴＶ受信、カレンダー、アラーム、電卓、時計等の多数の機能が搭載され、充実が図られている。
【０００４】
ＴＶチューナーを搭載した折畳み式携帯電話においては、ＴＶ視聴時の電気量消費が激しく、屋外では電気量が少なくなって通話ができなくなってしまう恐れが生じる。このため、ＴＶ視聴を長時間行う場合には、充電しながらの視聴が望ましい。
【０００５】
特許文献１では、携帯電話機の背面又は携帯電話機ホルダーのポケットの背面に脚を設け、この脚を起伏可能又は折り畳み可能に構成している。ＴＶ視聴時には携帯電話機の画面が横長かつやや上向きに傾く角度で、携帯電話機を机上等に立て掛けるようにしている。脚は、不使用時は折り畳むことができ、その折り畳み時には、面ファスナー、ボタン、ファスナー、粘着体、ホルダー構成部材に形成された凹部と凸部との嵌合のいずれかの手法で確実に固定される。
【特許文献１】特開２００７−２８２１１６号公報
【発明の開示】
【発明が解決しようとする課題】
【０００６】
ところで、特許文献１は、携帯電話機がスライド式となっており、携帯電話機ホルダーのポケットの背面に脚が設けられ、横長かつやや上向きになるようスライドした状態で表示部を見ると、表示部はユーザの視線に対して垂直となるため、視聴に問題はない。
【０００７】
また、折畳み式携帯電話は、使用時に約１６０度程度開くようになっているが、これを表示部が縦長になるように縦長状態でＴＶ視聴する場合にも、表示部はユーザの視線に対して垂直となるため、視聴に問題はない。
【０００８】
しかしながら、図１２に示すように、第１の筐体３を約１６０度程度開き、横長かつやや上向きになるように設置し、ボタン部を有する第２の筐体５がユーザの視線に対して垂直な状態を保つようにすると、第１の筐体３側の表示部２が傾いてしまう。すると、表示部２が傾いているので、快適にＴＶ視聴をすることができないという問題が発生する。
【０００９】
本発明は、かかる点に鑑みてなされたものであり、その目的とするところは、折畳み式携帯端末を開き、横長かつやや上向きになるように設置した場合でも表示部がユーザの視線に対して垂直となって画面を見やすくすることにある。
【課題を解決するための手段】
【００１０】
上記の目的を達成するために、この発明では、第２の筐体側を持ち上げて表示部を見やすくした。
【００１１】
具体的には、第１の発明では、表示部を内蔵する第１の筐体と、充電端子を有する第２の筐体と、該第１の筐体と第２の筐体とを折り畳み開閉自在に連結するヒンジ部を備えた携帯端末を装着した状態で、上記充電端子に通電可能な携帯端末用卓上ホルダーを対象とする。
【００１２】
そして、上記携帯端末用卓上ホルダーは、
直方体状の上記第２の筐体の背面側が載置される直方体状の本体部と、
上記第２の筐体の長手方向中間よりも上記充電端子側における少なくとも幅方向両側面を包み込むように、上記本体部から膨出して形成され、該充電端子に通電可能な接続端子が内蔵された膨出部と、
上記本体部における上記膨出部が形成されていない幅方向少なくとも一方の側面に伸縮自在に内蔵された補助脚部と、
背面側に着脱自在に設けられ、先端側に向かって幅狭となるスタンド板とを備え、
伸張させた状態の補助脚部の先端と、上記膨出部の該補助脚部側の側面とが被載置面に当接する横置き状態で上記携帯端末を保持可能に構成され、
上記スタンド板の上記補助脚部側の側面には、上記被載置面に当接し、該スタンド板側を持ち上げて上記横置き状態の表示部の角度を調整する表示角度調整部材が設けられている。
【００１３】
すなわち、ヒンジ部を備えた携帯端末の表示部のある第１の筐体を開き、横長かつやや上向きになるようにして充電端子のある第２の筐体を膨出部で包み込みようにした横置き状態では、第２の筐体側をユーザの視線に対して垂直とすると、表示部側がユーザの視線に対して垂直とはならず、ＴＶ視聴が快適に行われない。しかし、上記の構成によると、スタンド板に設けた表示角度調整部材が、スタンド板側を持ち上げて横置き状態の表示部の角度を調整するので、表示部側がユーザの視線に対して垂直となる。このため、ユーザは、携帯端末を卓上ホルダーに取り付けた状態で快適にＴＶ視聴を長時間行うことができる。
【００１４】
第２の発明では、第１の発明において、
上記スタンド板が取り外されて上記本体部の背面が被載置面に当接する平置き状態と、
上記膨出部及び上記スタンド板とが被載置面に当接する縦置き状態と、
上記横置き状態との３通りの載置姿勢を選択可能に構成されている。
【００１５】
上記の構成によると、平置き状態では、スタンド板を取り外して充電が行われ、縦置き状態では、上記表示角度調整部材の影響を受けることなく縦長状態の表示部を見ながらの充電も可能である。このように、携帯端末の形状や充電時の用途に合わせて３通りの充電姿勢が選択できるので、卓上ホルダーを種々の携帯端末に流用することができる。
【００１６】
第３の発明では、第２の発明において、
上記表示角度調整部材は脱着可能に構成されている。
【００１７】
上記の構成によると、表示角度調整部材を取り外せば、横置き状態で第２の筐体側がユーザの視線に対して垂直となるので、例えば、第１の筐体の表示部が表裏反転可能な折畳み式携帯端末では、表示部を反転させて折り畳むと、第２の筐体に重なった表示部に表示した画面を快適に見ることができる。このため、卓上ホルダーが種々の携帯端末に使用可能となる。
【００１８】
第４の発明では、表示部を内蔵する第１の筐体と、充電端子を有する第２の筐体と、該第１の筐体と第２の筐体とを折り畳み開閉自在に連結するヒンジ部を備えた携帯端末を装着した状態で、上記充電端子に通電可能な携帯端末用卓上ホルダーを対象とする。
【００１９】
そして、上記携帯端末用卓上ホルダーは、
直方体状の上記第２の筐体の背面側が載置される直方体状の本体部と、
上記第２の筐体の長手方向中間よりも上記充電端子側における少なくとも幅方向両側面を包み込むように、上記本体部から膨出して形成され、該充電端子に通電可能な接続端子が内蔵された膨出部と、
上記本体部における上記膨出部が形成されていない幅方向少なくとも一方の側面に伸縮自在に内蔵された補助脚部とを備え、
伸張させた状態の補助脚部の先端と、上記膨出部の該補助脚部側の側面とが被載置面に当接する横置き状態で上記携帯端末を保持可能に構成され、
上記膨出部の上記補助脚部側の側面には、上記被載置面に当接し、該膨出部側を持ち上げて上記横置き状態の表示部の角度を調整する表示角度調整部材が設けられている。
【００２０】
すなわち、ヒンジ部を備えた携帯端末の表示部のある第１の筐体を開き、横長かつやや上向きになるようにして充電端子のある第２の筐体を膨出部で包み込みようにした横置き状態では、第２の筐体側をユーザの視線に対して垂直とすると、表示部側がユーザの視線に対して垂直とはならず、ＴＶ視聴が快適に行われない。しかし、上記の構成によると、膨出部に設けた表示角度調整部材が、膨出部側を持ち上げて横置き状態の表示部の角度を調整するので、表示部側がユーザの視線に対して垂直となる。このため、ユーザは、携帯端末を卓上ホルダーに取り付けた状態で快適にＴＶ視聴を長時間行うことができる。
【００２１】
第５の発明では、第４の発明において、
上記表示角度調整部材は、上記膨出部に伸縮自在に内蔵された第２の補助脚部とする。
【００２２】
上記の構成によると、表示角度調整部材を使用しないときには、格納することができるので、見映えがよい。また、第２の補助脚部を縮小させて格納すれば、横置き状態で第２の筐体側がユーザの視線に対して垂直となるので、例えば、第１の筐体の表示部が表裏反転可能な折畳み式携帯端末では、表示部を反転させて折り畳むと、第２の筐体に重なった表示部に表示した画面を快適に見ることができる。このため、卓上ホルダーが種々の携帯端末に使用可能となる。
【００２３】
第６の発明では、第１乃至第５のいずれか１つの発明において、
上記携帯端末は、携帯電話機であり、
上記横置き状態でＴＶ視聴可能に構成されている。
【００２４】
上記の構成によると、ユーザの視線に対して垂直な表示部に表示されたＴＶ画像を快適に視聴することができるので、携帯電話機の商品性が格段に向上する。
【発明の効果】
【００２５】
以上説明したように、本発明によれば、スタンド板や膨出部の補助脚部側の側面に被載置面に当接し、スタンド板や膨出部側を持ち上げて横置き状態の表示部の角度を調整する表示角度調整部材を設けことにより、折畳み式携帯端末を開き、横長かつやや上向きになるように設置した場合でも表示部がユーザの視線に対して垂直となって画面が見やすくなり、長時間のＴＶ視聴であっても快適に行うことができる。
【発明を実施するための最良の形態】
【００２６】
以下、本発明の実施形態を図面に基づいて説明する。
【００２７】
図１及び図２は、本発明の実施形態の携帯端末の卓上ホルダー１０を示す。図３〜図５に折り畳み携帯端末としての携帯電話機１が平置き、縦置き及び横置きの３通りの姿勢で卓上ホルダー１０に保持された様子をそれぞれ示す。図６に携帯電話機の充電端子が見えるようにした斜視図を示す。
【００２８】
図６に示すように、携帯電話機１では、表示部２を有する第１の筐体３と、操作部４を有する第２の筐体５とが、ヒンジ部６において折り畳み可能に連結されている。第１の筐体３及び第２の筐体５は、折り畳んだときに互いに重なり合う縦長の直方体形状であり、矩形状の表示画面を有する表示部２は、第１の筐体３を第２の筐体５に対して開いて縦長の第２の筐体５を手に持ったときに上下方向に縦長となるように内蔵されている。なお、本実施形態では、説明の都合上、縦長の第２の筐体５を手に持ったときの携帯電話機１の上下左右方向に合わせて卓上ホルダー１０の上下左右も表す。
【００２９】
この携帯電話機１は、ＴＶ受信機能を有し、第２の筐体５の幅方向一方（右側、すなわち図６では下側）の右側側面５ｂには、内蔵したバッテリー（図示せず）に充電するための充電端子５ｄが配置されている。
【００３０】
図１及び図２に示すように、卓上ホルダー１０は、第２の筐体５の背面側が当接した状態で載置される直方体状の本体部１１を備えている。この本体部１１の表面１１ａの面積は、第２の筐体５の背面の面積とほぼ同じとなっている。表面１１ａには、滑り止めを兼ねた矩形状のクッション材１１ｂが貼り付けられている。第２の筐体５の上下中間よりもヒンジ部６と反対側（縦置き状態のときの下側）の左側側面５ａ、右側側面５ｂ及び下側側面５ｃを包み込むように、膨出部１２が本体部１１から膨出して形成されている。すなわち、膨出部１２は第２の筐体５の下半分のみを覆うようになっている。実際には、本体部１１と膨出部１２とは、表面側キャビネット１３と、背面側キャビネット１４とを厚さ方向中間で組み付ける樹脂成型品で構成されているので、その内部は空洞となっている。
【００３１】
膨出部１２は、第２の筐体５の左右側面５ａ，５ｂを保持する左側膨出部１２ａ及び右側膨出部１２ｂと、第２の筐体５の下側側面５ｃを保持する下側膨出部１２ｃとよりなる。左側膨出部１２ａ及び右側膨出部１２ｂは左右均等幅に膨出して見映えがよくなっている。下側膨出部１２ｃは、装着した携帯電話機１にＵＳＢコネクタ等を差し込めるように凹部１２ｄが切り欠くように形成されている。表面側キャビネット１３側の左側、右側及び下側膨出部１２ａ〜１２ｃは、表面側に向かって徐々に互いに狭まるように傾斜する平坦な傾斜面をそれぞれ有し、背面側キャビネット１４側の左側、右側及び下側膨出部１２ａ〜１２ｃも、同様に背面側に向かって徐々に傾斜する平坦な傾斜面をそれぞれ有している。背面側キャビネット１４側における左側膨出部１２ａの傾斜面が、横置き状態で被載置面５０に当接する横置載置面１５（図９に示す）となり、下側膨出部１２ｃの傾斜面が、縦置き状態で被載置面５０に当接する縦置載置面１６となる。また本体部１１及び膨出部１２の背面側の平坦面が、平置き状態で被載置面５０に当接する平置載置面１７となる。この平置載置面１７は、一部凹陥されて卓上ホルダー１０を外部電力（家庭用電源等）に接続する電気コード１８を嵌め込むための配線用凹部１７ａが凹陥されている。配線用凹部１７ａには、電気コード１８の先端のコネクタ１８ａを挿入するためのコネクタ挿入用開口１７ｂが形成されている。なお、下側膨出部１２ｃは形成されていなくてもよく、その場合には、本体部１１で縦置載置面１６を構成すればよい。
【００３２】
図１に示すように、膨出部１２の右側膨出部１２ｂの左右内側には、第２の筐体５の右側側面５ｂに設けた充電端子５ｄに通電可能な接続端子２０が内蔵されている。この接続端子２０は、本体部１１に形成した一対の開口１１ｃから覗く一対の当接部２１ａを有する摺動式ノブ（図示せず）に連動し、携帯電話機１が本体部１１の表面１１ａに載置されたときに当接部２１ａが押されて摺動式ノブが沈下し、接続端子２０が押し出されて充電端子５ｄに圧接するように構成されている。
【００３３】
図１１に示すように、膨出部１２の背面側、正確には下側膨出部１２ｃの縦置載置面１６から平置載置面１７にわたり凹陥された取付用凹部２２には、スタンド板２３が着脱自在となっている。図１０に示すように、このスタンド板２３は、先端側に向かって幅狭となる略台形板状に成形された樹脂成型品よりなる。スタンド板２３の長辺側に設けた矩形状の差込部２３ａの先端の係合爪（図示せず）を取付用凹部２２の係合穴２２ａに抜き差しすることで、スタンド板２３が卓上ホルダー１０の背面に取り付け及び取り外し可能となっている。
【００３４】
本体部１１の上側（ヒンジ部６と反対側）の膨出部１２が形成されていない左側側面には、伸縮自在の補助脚部２４が内蔵されている。補助脚部２４は、脚部用穴部２５に挿入されて先端面が穴部２５の周縁と面一となる格納状態（図１０に示す）と、穴部２５から引き出された状態で保持される伸長状態（図９に示す）とに伸縮自在に構成されている。
【００３５】
そして、本発明の特徴として、図５，図７及び図８に示すように、スタンド板２３の補助脚部２４側の側面には、被載置面５０に当接し、スタンド板２３側を持ち上げて横置き状態の表示部２の角度を調整する表示角度調整部材３０が設けられている。表示角度調整部材３０は、スタンド板２３の補助脚部２４側の左側面２３ｂに脱着可能に構成されている。表示角度調整部材３０の形状は特に限定されないが、スタンド板２３側を持ち上げて、表示部２がユーザの視線に対して垂直になるように表示部２の角度を調整可能となっている。本実施形態では、表示角度調整部材３０は、正面視で三角形状を有し、横置き状態で被載置面５０に当接する底面３０ａは、スタンド板２３に取り付けられる取付部３０ｂに対して９０°よりも若干小さい角度となるように設けられている。底面３０ａと取付部３０ｂとの間には、リブ３０ｃが設けられている。取付部３０ｂとスタンド板２３との取付は、爪嵌合やビスの締結により行われている。
【００３６】
このように構成することで、卓上ホルダー１０は、スタンド板２３が取り外されて平置載置面１７が被載置面５０に当接する平置き状態（図３に示す）と、膨出部１２の縦置載置面１６及びスタンド板２３が被載置面５０に当接する縦置き状態（図４に示す）と、膨出部１２の横置載置面１５、補助脚部２４の接地部２４ａ及び表示角度調整部材３０の底面３０ａが被載置面５０に当接する横置き状態（図５に示す）との３通りの載置姿勢を選択可能に構成されている。
【００３７】
−使用方法−
次に、本実施形態にかかる卓上ホルダー１０の使用方法について説明する。
【００３８】
（１）平置き状態
図３に示すように、平置き状態では、着脱自在のスタンド板２３を取り外すと共に、補助脚部２４を格納状態にして平置載置面１７を被載置面５０に当接させる。このことで、折り畳んだ状態の携帯電話機１を水平に保持した状態で膨出部１２の接続端子２０と第２の筐体５の充電端子５ｄとを接続して通電可能となる。この状態で携帯電話機１の充電が行われる。この平置き状態で、第１の筐体３を開くことができるが、第１の筐体３を第２の筐体５に対して約１６０°開いた状態では表示部２がユーザの方に向いていないので、ＴＶ視聴には適していない。
【００３９】
（２）縦置き状態
図４に示すように、縦置き状態では、スタンド板２３を取り付けると共に補助脚部２４を格納した状態でスタンド板２３の下面及び縦置載置面１６を被載置面５０に当接させる。このことで、第１の筐体３を折り畳んだ状態の携帯電話機１を保持した状態で膨出部１２の接続端子２０と第２の筐体５の充電端子５ｄとを接続して通電可能となる。この状態で充電をする。一方、通電状態で第１の筐体３を第２の筐体に対して開いてＴＶ視聴を行うこともできるが、このときの表示部２は縦長であるため、横長のＴＶ画像は小さく表示されてしまい、また、第１の筐体３を第２の筐体５に対して約１６０°開いた状態では画面が下を向いてしまうので、ＴＶ視聴には適さない。
【００４０】
（３）横置き状態
図１２に示すように、表示角度調整部材３０のない状態で、第１の筐体３を開き、横長かつやや上向きになるようにして充電端子５ｄのある第２の筐体５を膨出部１２で包み込みようにし、格納状態にあった補助脚部２４を脚部用穴部２５から伸張状態とすると、第２の筐体５側がユーザの視線に対して垂直となり、表示部２側はユーザの視線に対して垂直とはならない。このため、ＴＶ視聴が快適に行われないが、図５、図７及び図８に示すように、スタンド板２３に設けた表示角度調整部材３０が、スタンド板２３側を持ち上げて横置き状態の表示部２の角度を調整するので、表示部２側がユーザの視線に対して垂直となる。この状態で、電気コード１８により外部電力を供給すれば、ユーザは、携帯電話機１を卓上ホルダー１０に取り付けた状態で快適にＴＶ視聴を長時間行うことができる。
【００４１】
−実施形態の効果−
したがって、本実施形態にかかる卓上ホルダー１０によると、スタンド板２３の補助脚部２４側の側面に被載置面５０に当接し、スタンド板２３側を持ち上げて横置き状態の表示部２の角度を調整する表示角度調整部材３０を設けことにより、折畳み式携帯電話機１を開き、横長かつやや上向きになるように設置した場合でも表示部２がユーザの視線に対して垂直となって画面が見やすくなり、快適にＴＶ視聴を長時間行うことができる。
【００４２】
−実施形態の変形例−
本変形例では、図１３に示すように、スタンド板２３にではなく、膨出部１２に表示角度調整部材としての第２の補助脚部１３０が伸縮自在に内蔵されている。第２の補助脚部１３０の構成は、上記実施形態の補助脚部２４と同様とすればよい。この場合にも、上記実施形態と同一の作用効果が得られると共に、第２の補助脚部１３０を使用しないときには格納することができるので、見映えがよい。
【００４３】
（その他の実施形態）
本発明は、実施形態について、以下のような構成としてもよい。
【００４４】
すなわち、上記実施形態では、携帯端末は折畳み式携帯電話機１としたが、第１の筐体を第２の筐体に対してスライドさせるスライド式携帯端末や、表示部のある第１の筐体を開いた状態において、第１の筐体が第２の筐体に対して縦長と横長とに切換可能な携帯端末であってもよい。また、第１の筐体３の表示部２が表裏反転可能な折畳み式携帯電話機１としてもよい。その場合には、表示角度調整部材３０を取り外し、又は第２の補助脚部１３０を格納すれば、横置き状態で第２の筐体５側がユーザの視線に対して垂直となるので、表示部２を反転させて折り畳むと、第２の筐体５に重なった表示部２に表示した画面を快適に見ることができる。このように卓上ホルダー１０が種々の携帯電話機１に使用可能である。
【００４５】
また、上記実施形態では、折畳み式携帯端末は携帯電話機１としたが、表示部を有する折畳み式のＰＨＳ、ＰＤＡ、ＰＣ、モバイルツール、電子辞書、ゲーム機等であってもよい。
【００４６】
なお、以上の実施形態は、本質的に好ましい例示であって、本発明、その適用物や用途の範囲を制限することを意図するものではない。
【図面の簡単な説明】
【００４７】
【図１】本発明の実施形態にかかる卓上ホルダーを前側から見た斜視図である。
【図２】本発明の実施形態にかかる卓上ホルダーを後側から見た斜視図である。
【図３】平置き状態の携帯電話機及び卓上ホルダーを示す斜視図である。
【図４】縦置き状態の携帯電話機及び卓上ホルダーを示す斜視図である。
【図５】横置き状態の携帯電話機及び卓上ホルダーを示す正面図である。
【図６】携帯電話機の充電端子が見えるようにした斜視図である。
【図７】横置き状態の携帯電話機及び卓上ホルダーを示す側面図である。
【図８】横置き状態の携帯電話機及び卓上ホルダーを示す側面図である。
【図９】電気コードが接続された卓上ホルダーを背面側から見た斜視図である。
【図１０】卓上ホルダーを背面側から見た斜視図である。
【図１１】背面側キャビネットを示す斜視図である。
【図１２】表示角度調整部材を取り付けないときの横置き状態の携帯電話機及び卓上ホルダーを示す正面図である。
【図１３】本発明の実施形態の変形例にかかる図５相当図である。
【符号の説明】
【００４８】
１      折畳み式携帯電話機（携帯端末）
２      表示部
３      第１の筐体
５      第２の筐体
５ｄ    充電端子
６      ヒンジ部
１０      卓上ホルダー
１１      本体部
１２      膨出部
２３      スタンド板
２４      補助脚部
３０      表示角度調整部材
５０      被載置面
１３０      第２の補助脚部（表示角度調整部材）
【図１】
2010050562.tif 000003
【図２】
2010050562.tif 000004
【図３】
2010050562.tif 000005
【図４】
2010050562.tif 000006
【図５】
2010050562.tif 000007
【図６】
2010050562.tif 000008
【図７】
2010050562.tif 000009
【図８】
2010050562.tif 000010
【図９】
2010050562.tif 000011
【図１０】
2010050562.tif 000012
【図１１】
2010050562.tif 000013
【図１２】
2010050562.tif 000014
【図１３】
2010050562.tif 000015